(57)【特許請求の範囲】
【請求項１】
アーム、
下側が開いた円筒からなる上蓋、
前記アームと連結する基体、および
前記上蓋と基体の中心軸をとおり前記上蓋と基体とを連結する支軸を備え、
アームは、環状器具の環状部に刺し通せる太さを有する複数の棒状体からなり、該棒状体が基体上端より上方に向けて延び、棒状体上端の位置が上蓋の下端と上端との間の高さにあり且つ上蓋の円筒内と円筒外との間を移動可能になっており、さらに該棒状体が支軸の周りに円状に並ぶように基体に連結されているものである、環状器具用ラック。
【請求項２】
上蓋は支軸に沿って上下動可能で、上蓋を上げたときに棒状体上端が上蓋の下端よりも下方に位置するようにできる、請求項１に記載の環状器具用ラック。
【請求項３】
上蓋は支軸を中心にして回転可能で、上蓋の下端に棒状体上端がくぐり抜けることができるノッチが少なくとも一つ設けられている、請求項１に記載の環状器具用ラック。
【請求項４】
棒状体が支軸の周りに同心円状に並ぶように基体に連結されている、請求項１に記載の環状器具用ラック。
【発明の詳細な説明】
【技術分野】
【０００１】
本発明は、環状器具用ラックに関する。さらに詳細には、ワッシャー、ナット、Ｏリングなどの環状の小型器具の洗浄または整理保管に適した環状器具用ラックに関する。
【背景技術】
【０００２】
器具洗浄機では、ビーカーやフラスコのような比較的広口の容器、メスシリンダ、バイアル瓶のような比較的細口の容器等、様々な形状の器具を高い洗浄性能をもって洗う必要があるため、器具の形状に適合した種々のラックが用意されている。例えば、細長いピペットを他の器具と共に洗浄できるようにしたラックが特許文献１に記載されている。しかし、ワッシャー、ナット、Ｏリングなどの環状の小型器具の洗浄または整理保管に適したラックは提案されていない。
【特許文献１】特開平１０−１８０２１５号公報
【発明の開示】
【発明が解決しようとする課題】
【０００３】
本発明の目的は、ワッシャー、ナット、Ｏリングなどの環状の小型器具の洗浄または整理保管に適した環状器具用ラックを提供することにある。
【課題を解決するための手段】
【０００４】
本発明者は、前記目的を達成するために鋭意検討した結果、アーム、下側が開いた円筒からなる上蓋、前記アームと連結する基体、および前記上蓋と基体の中心軸をとおり前記上蓋と基体とを連結する支軸を備え、アームは、環状器具の環状部に刺し通せる太さを有する複数の棒状体からなり、該棒状体が基体上端より上方に向けて延び、棒状体上端の位置が上蓋の下端と上端との間の高さにあり且つ上蓋の円筒内と円筒外との間を移動可能になっており、さらに該棒状体が支軸の周りに円状に並ぶように基体に連結されているものである、環状器具用ラックを用いると、ワッシャー、ナット、Ｏリングなどの環状の小型器具の洗浄または整理保管の効率が向上することを見出した。本発明はこの知見に基づいてさらに検討した結果完成したものである。
【０００５】
すなわち、本発明は、  アーム、  下側が開いた円筒からなる上蓋、  前記アームと連結する基体、および  前記上蓋と基体の中心軸をとおり前記上蓋と基体とを連結する支軸を備え、  アームは、環状器具の環状部に刺し通せる太さを有する複数の棒状体からなり、該棒状体が基体上端より上方に向けて延び、棒状体上端の位置が上蓋の下端と上端との間の高さにあり且つ上蓋の円筒内と円筒外との間を移動可能になっており、さらに該棒状体が支軸の周りに円状に並ぶように基体に連結されているものである、環状器具用ラック、である。
【発明の効果】
【０００６】
本発明の環状器具用ラックのアームに、ワッシャー、ナット、Ｏリングなどの環状器具を刺し通して、ラックに環状器具を取り付けることによって、洗浄中の水圧などで環状器具が散逸することがなくなる。また、アームに刺し通す環状器具を分類することによって環状器具を整理し保管することができる。またアームを上蓋の円筒内と円筒外との間で移動させることで、環状器具の取り外しが簡単にできる。
【発明を実施するための最良の形態】
【０００７】
本発明の環状器具用ラックを、図面を参照しながら説明する。なお、本発明は図面に示したものに限定されない。
図１は、本発明の環状器具用ラックの一実施態様例を示す概念図である。図２は数本の棒状体の上端が上蓋の円筒内に収まり抑えられた状態を示す概念図である。図３は、全ての棒状体の上端が上蓋の円筒内に収まり抑えられた状態を示す概念図である。
【０００８】
本発明の環状器具用ラックは、アーム４、下側が開いた円筒からなる上蓋２、前記アームと連結する基体６、および前記上蓋と基体の中心軸をとおり前記上蓋と基体とを連結する支軸７を備えるものである。
【０００９】
アーム４は環状器具の環状部に刺し通せる太さを有する複数の棒状体からなるものである。環状器具には、ワッシャー、ナット、Ｏリングなどが含まれる。棒状体は、その材質によって特に制限されず、例えば、腐食の少ない金属、樹脂などでできているものが挙げられる。
図１では、棒状体は支軸の周りに円状に並ぶように基体に連結されているが、該棒状体は支軸の周りに同心円状に並ぶように基体に連結されていてもよい。
基体は前記棒状体を円状に並べることができるものであれば、その形状によって特に制限されず、例えば、円板、上側が開いた円筒などが挙げられる。また、上蓋および基体は支軸が中心軸をとおり上蓋および基体を連結できるように支軸受けを備えていることが好ましい。
【００１０】
基体とアームとは、図１のように一体のものとして繋がっていてもよいし、公知の接続手段によって繋がっていてもよい。接続手段としては、蝶番、ばね受、接着剤、溶接などが挙げられる。基体とアームとが一体のものになっている場合はアームを可撓性の材料で形成することが好ましい。
【００１１】
また、前記棒状体は基体上端より上方に向けて延び、棒状体上端の位置が上蓋の下端と上端との間の高さにあり且つ上蓋の円筒内と円筒外との間を移動可能になっている。
すなわち、図１では、全ての棒状体上端が上蓋の円筒外に出ている状態のラックを示しており、図２では、アームの右半分の棒状体上端が上蓋の円筒内に収まっており、アームの左半分の棒状体上端が上蓋の円筒外に出ている状態（図１の状態と図３の状態との中間的状態）のラックを示しており、図３では、全ての棒状体上端が上蓋の円筒内に収まっている状態のラックを示している。棒状体の移動によって図１の状態と図３の状態との間を可逆的に行き来することができる。
【００１２】
棒状体上端は、上蓋の下端と上端との間の高さに位置するので、棒状体を円筒内と円筒外との間で移動させるには、上蓋の下端を棒状体がくぐらないといけない。棒状体自体が撓み性のあるものであれば棒状体を撓ませて上蓋の下端をくぐらせることができる。
また、上蓋を支軸に沿って上下動可能にし、上蓋を上げたときに棒状体上端が上蓋の下端よりも下方に位置するようにできるようにすると、上蓋を上げたときに棒状体を円筒内と円筒外との間で移動させることができる。
また、別の態様として、図に示すように、上蓋を支軸を中心にして回転可能にし、上蓋の下端に棒状体上端がくぐり抜けることができるノッチ３を少なくとも一つ設けることによって、上蓋２を回転させ、ノッチ３の正面にきた棒状体を円筒内と円筒外との間で移動させることができる。
棒状体が円筒外に出ている状態のときに環状器具を棒状体に刺し通すことができる。棒状体が円筒内に収まると棒状体は円筒に拘束され、棒状体に刺し通された環状器具が棒状体から抜け落ちることが防止される。
【図面の簡単な説明】
【００１３】
【図１】本発明の環状器具用ラックの一実施態様例を示す概念図
【図２】図１に示した環状器具用ラックのアームの一部が上蓋で抑えられた状態を示す概念図
【図３】図１に示した環状器具用ラックのアームの全部が上蓋で抑えられた状態を示す概念図
【符号の説明】
【００１４】
２：上蓋
３：ノッチ
４：アーム
５：環状器具
６：基体
７：支軸
【図１】
0004880542.tif 000002
【図２】
0004880542.tif 000003
【図３】
0004880542.tif 000004